(57)【要約】【課題】被洗浄者の皮膚面の洗浄を行う洗浄液を皮膚面に対して優しく噴射すると共に、皮膚面に接触させた洗浄済排液を外部へ漏水させることなく回収することができる洗浄装置を提供する。【解決手段】皮膚面を洗浄する洗浄液を貯留する給水部、該給水部の洗浄液を配水ポンプにより搬出し皮膚面に供給する洗浄アダプタ、皮膚面を洗浄した排液を吸引ポンプにより吸引し貯留する排水部とからなり、前記洗浄アダプタは操作者が把持する中空の把持部、該把持部の先端に設けられ、前記吸水部から供給される洗浄液を皮膚面に噴射する噴射口、該噴射口と隣接し外部空気を吸入する空気吸入口、把持部後端に設けられ前記空気吸引口に接続する吸引口とからなり、前記空気吸入口からアダプタ内に吸引される気流で前記噴射口奥部に渦流を発生させる洗浄装置。【選択図】図１
2014030511.tif 000002
【特許請求の範囲】
【請求項１】
皮膚面を洗浄する洗浄液を貯留する給水部、該給水部の洗浄液を皮膚面に供給する洗浄アダプタ、皮膚面を洗浄した排液を吸引し貯留する吸引排水部、とからなり、
前記洗浄アダプタは操作者が把持する中空の把持部、該把持部の先端に設けられ、前記吸水部から供給される洗浄液を皮膚面に噴射する噴射口、該噴射口と隣接し外部空気を吸入する空気吸入口、把持部後端に設けられ前記空気吸入口に接続する吸引口とからなり、
前記空気吸入口からアダプタ内に吸引される気流で前記噴射口奥部に渦流が発生することを特徴とする洗浄装置。
【請求項２】
皮膚面を洗浄する洗浄液を貯留する給水部、該給水部の洗浄液を配水ポンプにより搬出し皮膚面に供給する洗浄アダプタ、皮膚面を洗浄した排液を吸引ポンプにより吸引し貯留する吸引排水部、とからなり、
前記洗浄アダプタは操作者が把持する中空の把持部、該把持部の先端に設けられ、前記吸水部から供給される洗浄液を皮膚面に噴射する噴射口、該噴射口と隣接し外部空気を吸入する空気吸入口、把持部後端に設けられ前記空気吸入口に接続する吸引口とからなり、
前記空気吸入口からアダプタ内に吸引される気流で前記噴射口奥部に渦流が発生することを特徴とする洗浄装置。
【請求項３】
皮膚面を洗浄する洗浄液を貯留する給水部、該給水部の洗浄液を皮膚面に供給する洗浄アダプタ、皮膚面を洗浄した排液を吸引し貯留する吸引排水部とからなり、
前記洗浄アダプタは操作者が把持する中空の把持部、該把持部の先端に設けられ、前記吸水部から供給される洗浄液を皮膚面に噴射する噴射口、該噴射口と隣接し外部空気を吸入する空気吸入口、把持部後端に設けられ前記吸気吸入口に接続する吸引口とからなり、
前記噴射口から噴射する液量を１．３ｍ／ｓ〜２，１ｍ／ｓ
空気吸入口の面積を５〜７ｃｍ２
吸引口の負圧を１．７ｋＰａ〜２．４ｋＰａ
で洗浄することで、前記空気吸入口からアダプタ内に吸引される気流で前記噴射口奥部に渦流を発生させることを特徴とする洗浄装置。
【発明の詳細な説明】
【技術分野】
【０００１】
本発明は、人或いはペット等の身体を洗浄する洗浄装置に関するもので、例えば寝たきり老人や足の怪我等で動けない患者、乳幼児等の被洗浄者に対して身体の一部または全身を効果的に洗浄することができる洗浄装置に関するものである。
また、本発明洗浄装置は人間の皮膚を洗浄するのに快適に設計しているが、ペット用としても好適に使用できる。
【背景技術】
【０００２】
人の体を洗う一般的な手段は風呂、シャワー等であるが、例えば寝たきりで起ることが困難である人、あるいは歩行等が困難な人、リハビリ患者等にあっては、身体洗浄のための入浴又はシャワーを浴びることが困難な場合が多く、身体を清潔に保つことに苦慮している。また健康な人であっても、例えば体臭を有し、あるいは腋臭を有する人にとっては、身体の部分的洗浄を頻繁に行なうことが望ましいが、頻繁に入浴やシャワーを浴びることは事実上困難である。
【０００３】
また、寝たきり老人や足の怪我等で動けない患者の排泄にはおむつが使用されるが、排泄後おむつを外した後の排泄部分を簡便に洗浄する必要がある。そのため、濡れた布やガーゼ、脱脂綿等で払拭しているが、看護に当たる人々の労力は大変である。
【０００４】
そこで、簡便に身体を洗浄する装置が多数考案されている。
例えば、特許文献１には水、温水その他の洗浄液を貯留する給液槽と、略吸盤状をなし、開口縁が人体の洗浄すべき部位の周辺に密着する外形形状を備えた洗浄器本体と、前記給液槽内の洗浄液を洗浄器本体内に給水する給液管と、洗浄器本体内の気液を吸引して排出するための吸引装置とを備え、吸引装置で洗浄器本体内を減圧することにより給液槽から洗浄液を供給して局部を洗浄すると共に洗浄器本体内の排液を吸引廃棄するように構成した人体洗浄機が開示されている。
【０００５】
また、特許文献２には、身体の皮膚面に対して洗浄液を射出させることができる射水ノズル、及び該射水ノズルから皮膚に向けて射出された後の洗浄済水を回収するバキューム口を有する洗浄アダプタと、該洗浄アダプタに設けられているバキューム口を負圧とすると共に上記射水ノズルより圧力水を噴射せしめるためのポンプ、及び該ポンプの駆動力で上記射水ノズルから射出せしめるための洗浄液を封入する洗浄液タンク、及び上記バキューム口から吸引された洗浄済水を回収する回収タンクを備えた洗浄装置本体とからなる身体の洗浄装置が開示されている。
【０００６】
しかし、ここに提案されている装置は、洗浄器本体が人体に密着するように構成され、吸引装置の吸引力により洗浄液を局部に供給しているために人体の局部に強い吸引力が作用し、皮膚を傷める危険性がある。
このような状況に鑑み本発明者は、身体の洗浄を行う洗浄液を皮膚面に対して優しく噴射すると共に、身体皮膚面に接触させた洗浄済排水を外部へ漏水させることなく回収することができる身体洗浄装置を提案した（特許文献３）。
【先行技術文献】
【特許文献】
【０００７】
【特許文献１】特開２０００−２２５１６９
【特許文献２】特開２００１−１４５６８２
【特許文献３】特開２０１０−２７３９４５
【発明の概要】
【発明が解決しようとする課題】
【０００８】
人或いはペット等の身体を洗浄する装置（以下単に洗浄装置と表現する）は、シャワーとして出した水を漏らさずに吸い込むことが課題である。
先の提案（特許文献３）では、上述したように、身体の洗浄を行う洗浄液を皮膚面に対して優しく噴射すると共に、皮膚面に接触させた洗浄済排液を外部へ漏水させることなく回収することができる身体洗浄装置を提案したが、より爽快に洗浄ができ、洗浄済み排液を漏水させることなく排除することを課題として改良研究を進めた。
【０００９】
即ち、歩行困難な高齢者は入浴するのに車いすなどに移乗して浴室に行き、さらに浴槽でも身体の洗浄は介護スタッフが手間をかけて行っている。それを解決するために、ベッド上で使用できる洗浄機器の開発が切望されている。
また、トイレへの移動が困難な高齢者が排泄時の陰部洗浄は清拭で介護スタッフが行っていたが、羞恥心など高齢者・介護スタッフ双方にとっての心身面の負担があるため、自らベッド上で洗浄できる洗浄装置の開発が望まれている。
【課題を解決するための手段】
【００１０】
本発明の洗浄装置は、皮膚面を洗浄する洗浄液を貯留する給水部、該給水部の洗浄液を皮膚面に供給する洗浄アダプタ、皮膚面を洗浄した排液を吸引し貯留する吸引排水部、とからなり、前記洗浄アダプタは操作者が把持する中空の把持部、該把持部の先端に設けられ、前記吸水部から供給される洗浄液を皮膚面に噴射する噴射口、該噴射口と隣接し外部空気を吸入する空気吸入口、把持部後端に設けられ前記空気吸入口に接続する吸引口とからなり、前記空気吸入口からアダプタ内に吸引される気流で前記噴射口奥部に渦流が発生することを特徴とする。
【００１１】
本発明の洗浄装置は、皮膚面を洗浄する洗浄液を貯留する給水部、該給水部の洗浄液を配水ポンプにより搬出し皮膚面に供給する洗浄アダプタ、皮膚面を洗浄した排液を吸引ポンプにより吸引し貯留する吸引排水部、とからなり、前記洗浄アダプタは操作者が把持する中空の把持部、該把持部の先端に設けられ、前記吸水部から供給される洗浄液を皮膚面に噴射する噴射口、該噴射口と隣接し外部空気を吸入する空気吸入口、把持部後端に設けられ前記空気吸入口に接続する吸引口とからなり、前記空気吸入口からアダプタ内に吸引される気流で前記噴射口奥部に渦流が発生することを特徴とする。
【００１２】
本発明の洗浄装置は、皮膚面を洗浄する洗浄液を貯留する給水部、該給水部の洗浄液を皮膚面に供給する洗浄アダプタ、皮膚面を洗浄した排液を吸引し貯留する吸引排水部とからなり、前記洗浄アダプタは操作者が把持する中空の把持部、該把持部の先端に設けられ、前記吸水部から供給される洗浄液を皮膚面に噴射する噴射口、該噴射口と隣接し外部空気を吸入する空気吸入口、把持部後端に設けられ前記空気吸入口に接続する吸引口とからなり、前記噴射口から噴射する液量を１．３ｍ／ｓ〜２，１ｍ／ｓ
空気吸入口の面積を５〜７ｃｍ２
吸引口の負圧を１．７ｋＰａ〜２．４ｋＰａ
で洗浄することで、前記空気吸入口からアダプタ内に吸引される気流で前記噴射口奥部に渦流を発生させることを特徴とする。
【発明の効果】
【００１３】
本発明の洗浄装置は、給水部の洗浄液を皮膚面に供給するので皮膚面の洗浄を行う洗浄液を皮膚面に対して優しく噴射することができ、皮膚面を洗浄した排液を排水部で吸引するので外部へ漏水させることなく回収することができる。
また、配水ポンプと吸引ポンプとを別々に設けることで洗浄液の供給量、排液の吸引力を任意に調整でき、洗浄箇所の皮膚の状態によって適宜に配水量、排液吸引量の調整が容易にでき、従ってベッド等に寝かせたままでの身体洗浄あるいは衣服を着用しているままでの身体の部分的洗浄が快適に可能となる優れた効果を有するものである。
本発明洗浄装置は人間の皮膚を洗浄するのに快適に設計されているが、ペット用としても好適に使用できることは勿論である。
【図面の簡単な説明】
【００１４】
【図１】洗浄装置の一実施形態を示す斜視図である。
【図２】洗浄装置の一実施形態を示す一部断面図である。
【図３】（イ）は洗浄アダプタの一実施形態を示す斜視図、（ロ）（ハ）は洗浄アダプタ内の空気と洗浄液の流れをシミュレーションした実施形態を示す断面図である。
【図４】洗浄アダプタ内の空気と洗浄液の流れをシミュレーションした模式図である。
【図５】洗浄手順を示す工程図である。
【発明を実施するための形態】
【００１５】
本発明を、図示した一実施形態により詳細に説明する。
図１、図２は洗浄装置の一実施形態で、本実施形態は人間の皮膚を洗浄するもので、図１は全体像を示す斜視図、図２は内部機構を説明する一部断面図である。以後の説明は身体を洗浄する「身体洗浄装置」として説明する。
図２において、１は人体の皮膚面を洗浄する石鹸水、消毒液等の洗浄液やすすぎの水等の洗浄水（以下これらを洗浄液という）１１を貯留するとともに該洗浄液１１を皮膚面に搬送供給する給水部、２は該給水部１から身体皮膚面に供給された洗浄液１１で皮膚を洗浄する洗浄アダプタ（以下単にアダプタと表現することがある）、３は皮膚面を洗浄した排液を吸引し貯留する吸引排水部である。
【００１６】
本実施形態では、給水部１、排水部３は移動可能なように収納装置５に組み込むことが好ましい。
図１は本発明の身体洗浄装置を持ち運び容易に組み込んだ一実施例を示すもので、キャスター付き収納装置５に洗浄液を貯留する給水部１、皮膚面を洗浄した排液を吸引する吸引ポンプと廃水を貯留する吸引排水部３を組み込んでいる。このように収納装置５内に各部品を収納することで容易に持ち運ぶことができ、被洗浄者の元に手軽に移動することができる。
【００１７】
以下各部につき詳細に説明する。
給水部１
給水部１は所定量の洗浄液１１を貯留する洗浄液タンク１２、洗浄液を洗浄アダプタ２に供給する配水ポンプ１３、必要により洗浄液１１を暖める電熱器あるいは熱交換器等からなる加温装置１４とで構成されている。
洗浄液タンク１２内の洗浄液１１は該タンク１２と洗浄アダプタ２とを接続する給水配管１５によりアダプタ２へ供給される。洗浄液１１を洗浄アダプタ２に送る方法としては、後述する排水部３の吸引力によって吸い上げる方法もあるが、本実施形態では給水ポンプ１３を用いて供給する。給水ポンプ１３の操作は収納装置５に設けた水量調節装置５１（例えばスライッダク）（図１参照）、或いは後述する洗浄アダプタ２の把持部２１に設ける水量調節スイッチ２１３（図２参照）により行う。水量の調節は水量調節スイッチ５１、または２１３を操作して配水ポンプ１３の出力を制御し配水量を調整する。
洗浄液１１は皮膚に直接当たるため特に冬場は冷たく感じる場合がある。そのようなときには加温装置１４、例えばヒータにより洗浄液１１を温めて供給することが好ましい。
【００１８】
洗浄アダプタ２
洗浄アダプタ２は操作者が把持する中空の把持部２１と、該把持部２１の先端に設けられ、前記吸水部から供給される洗浄液を皮膚面に噴射する噴射口２２と、該噴射口２２と隣接し外部空気を吸入する空気吸入口２３と、把持部２１の後端に設けられ吸引排水部３に接続する吸引口２４とで構成されている。なお、噴射口２２と隣接する空気吸入口２３とは、図示するように噴射口２２と空気吸入口２３とが連続して開口している状態、或いは噴射口２２と空気吸入口２３とが隔離されているが、両者が近隣に存在する状態を意味する。
図３は洗浄アダプタ２の一実施形態を示すもので、（イ）は本実施形態の斜視図、（ロ）はその断面図、（ハ）は試作段階での断面図である。また、図４（イ）は図３（ロ）に示すアダプタ２内の空気流を模式的に示したものであり、図４（ロ）は図３（ハ）に示すアダプタの空気流を模式的に示したもので、図４（イ）、（ロ）は図３（ロ）、（ハ）に示す空気流のシミュレーションをより分かりやすく書き直した図である。
【００１９】
把持部２１には洗浄液１１の供給通路２１１と、洗浄液噴射口２２の周縁部分の少なくとも一部に穿設され、洗浄液１１を皮膚面に噴射する洗浄液噴出口２１２とが設けられている。
噴射口２２は把持部２１と所定の角度で開口している。把持部２１と噴射口２２との角度は操作する者が操作しやすい角度に設計すればよく、その角度は１５度〜６０度、例えば図示するように３０度程度に設計する。
【００２０】
供給通路２１１と連通する洗浄液噴出口２１２は皮膚面に洗浄液が的確に噴射されるような角度で穿設され、口の大きさや形状により噴水量や噴水角度を調整する。例えば、該洗浄液噴射口は洗浄液が皮膚面にやわらかく噴射される程度の傾斜で設けられている。
また、噴射口２２は直接皮膚に接触する。このため、予め適温に保温し、或いはアダプタ２１にヒータを内蔵させて暖める等の工夫を施すと良い。
【００２１】
空気吸入口２３は噴射口２２と連続して設けてもよく（図３参照）噴射口２２の近傍に設けてもよい。空気吸引口２３は後述する吸引排水部３の吸引力によりノズル本体内に空気を流入させるために設けるもので、ここから流入される空気により洗浄水を吸引排水部３に導く。
図３（ロ）、（ハ）、図４（イ）、（ロ）は空気吸入口２３から空気を吸入し、洗浄液噴出口２１２から洗浄液１１を噴射させた時の空気と洗浄液の流れをシミュレーションしたものである。
図３（ハ）、図４（ロ）は試作段階のアダプタ７で、空気と洗浄液との流れにより、洗浄液の一部２２５が完全に排水されずに図示する噴射口２２の上部（洗浄液溜り）２２２に滞留し、ここに滞留した洗浄液が操作終了後に噴射口から洩れる場合がある。
【００２２】
一方図３（ロ）、図４（イ）は本実施形態のアダプタで、噴射口２２の上記洗浄液溜り２２２を埋め、図面上部２２３の壁面を流線形に整えたもので、このように上記洗浄液溜り部分を埋め、壁面を流線形に成形することで、空気吸入口２３から吸引される空気は噴射口２２奥部で渦流となり、洗浄水（洗浄済み排水）を皮膚面に適度な圧力で押しつけると共に確実に排水する方向に導き、皮膚面から洗浄液が漏れだすのを有効に防止すると共に液溜りを作ることなく排水している。従って、洗浄中に洗浄液が皮膚面やその近傍に漏れることなく操作をすることができる。
【００２３】
図３（イ）（ロ）、図４（イ）に示すように、噴射口２２と把持部２１の中空部との接合部２２３壁面を流線形となる膨らみ（以下膨出部と云うことがある）に設計する。このように流線形の膨出部を設けるのは、この個所で渦流を発生させ、洗浄液を皮膚面に満遍なく接触させるためである。この膨出部を過度に大きくすると、図３（ハ）に示すように該膨出部２２２に排水が溜まり、吸引終了後に排水が噴射口２２から漏れることがあるため、渦流が発生し、排水が溜まらない膨らみ（図３(ロ)参照）とする。
なお、図示するように洗浄液供給通路（配管）２１１は把持部２１と一体に設計してもよく、あるいはアダプタとは別体とし洗浄液噴出口２１２に直接接続するように設計してもよい。
洗浄液供給通路２１１は給水部１と配管１５で接続され、空気吸引口２４は排水部３に配管３５で接続されている。
【００２４】
なお、把持部２１を噴射口２２と空気吸入部２３とを有する先端部とスイッチ等を設ける後端部とに分離可能に構成すると、噴射口２２の大きさを変えて洗浄部分（皮膚）の汚れ等に適した噴射部２２等に適宜交換することが可能となり、被洗浄者の満足度を増すことができ、また、皮膚に接する部分を簡単に洗浄、消毒できるので、衛生的にも満足できるものとなる。
【００２５】
図２では、把持部２１表面に給水量を制御する水量調節スイッチ２１３、ノズル本体内部の真空度と排液回収強度を調整する吸引強さ（真空度）調節スイッチ（以下真空度調節スイッチという）２１４、また、後述する吸引装置（吸引ポンプ）３２の出力が強く、真空度調節スイッチ２１４の操作のみでは吸引の強さの調整が困難な場合に圧力を調整するエアーコントロールスイッチ２１５が収納可能なスイッチ収納部２１６が形成されている。これらのスイッチは操作者の選択で収納装置５にのみ設けてもよく、或いは把持部２１に設けてもよく、或いは両方に設けてもよい。
なお、水量調節スイッチ２１３、真空度調節スイッチ２１４、エアーコントロールスイッチ２１５を被洗浄者の好みに予めセットし、電源スイッチを入れることで被洗浄者の皮膚を心地よく洗浄するように電源スイッチ（図示せず）を操作し易い個所に設けておくことが好ましい。
【００２６】
アダプタ２（ノズル本体内部）の真空度と排液回収強度を調整するには上述するように真空度調節スイッチ２１４、また、エアーコントロールスイッチ２１５で調整するが、操作者が操作中に空気吸入口２３を塞いでしまうことがある。このように空気吸入口２３を塞いでしまうと吸引装置３２の吸引力が皮膚面に直接作用し、皮膚面に大きな負圧を掛ける結果となることがある。このような負圧を逃がすために図４（イ）に示すようにアダプタ２の把持部にリードバルブ２３０を設けておくことが好ましい。リードバルブ２３０は把持部の一部に穴２３１を設け、該穴２３１を例えば片端を固定して板ばね２３２で塞ぎ、アダプタ内の負圧が一定以上となると板ばね２３２が押し下げられ、穴２３１から空気をアダプタ内に供給してアダプタ内圧力を調整する。
【００２７】
アダプタ２（ノズル本体内部）の真空度を調整する方法としては、例えば被洗浄者が負圧が強いと感じる真空度を先ず探し、次いで真空度調節スイッチ２１４で真空度を緩め、被洗浄者が心地よいと感じる真空度まで落とし洗浄を開始する。被洗浄者が心地よいと感じる負圧で洗浄することで、快適に洗浄することが可能となる。なお、この実施形態ではリードバルブを板ばね式で例示したが、任意の調整方法を採用しうることは勿論である。
【００２８】
アダプタ２の噴射口近傍に図示しない電源切り替えスイッチを設けることが好ましい。電源切り替えスイッチはアダプタを皮膚面に近づけることで電源が入り洗浄液の供給と吸引操作を開始し、アダプタを皮膚面からある程度離すとスイッチが切れて洗浄液の供給と吸引操作を終了するスイッチである。なお、スイッチの切断は先ず洗浄液供給電源を切り、数秒〜数分後に吸引装置の電源を切るようにすることでアダプタ内の排液が完全に吸引された後に吸引装置が止まり、液漏れ等を防止することができる。
なお、電源切り替えスイッチは接触式でもよく、非接触式のものでも良い。
【００２９】
排水部３
排水部３は図２に示すように皮膚面を洗浄した排液を吸引回収し貯留する排水タンク３１と、真空装置等の吸引装置３２とからなる。
排水タンク３１はタンク内の排液３３の量が分かるように例えば透明で密封可能なプラスチック容器を採用する。或いは液面計を付属させ、水量を自動的に或いは目視で確認できるようにし、排液が溢れるのを予防するように構成することが好ましい。タンク３１は排液３３を廃棄処理できれば良く、硬質のもの、或いは真空にしてもしぼまない補強を施した可とう性の袋状のもの等を採用することができる。タンク３１は排液３３を後処理するのに適した大きさに設計することが好ましい。
【００３０】
排水タンク３１と前記洗浄アダプタ２の把持部２１に設けた吸引口２４とはフレキシブル配管３５で連結されている。即ち、吸引装置３２を作動させるとタンク３１内が減圧され、この減圧が洗浄アダプタ２の内部を減圧することで洗浄排水を吸い上げ、排水をタンク３１内に導くように構成されている。
排水タンク３１内に回収される排液３３は体を洗浄した液体であるために汚染されている。例えば排便後の肛門近辺の洗浄時には、汚物を含む排水が回収される。そのため廃水は臭気を伴い、便等が混入されてくる。これらの臭気、汚物は周辺の環境を害する恐れがあるため、排水タンク３１に汚物対策としてタンク内に例えばバイオ剤３６を添加して分解し、或いは紫外線照射装置３７により紫外線を照射して分解する等の処置を加え、環境を害さないような処理の元で外部に廃棄する。また、吸引装置３２の排ガスにも汚物等の臭いが混ざるために、排気口に消臭装置（例えば活性炭）３８を設置することが好ましい。
【００３１】
本発明の洗浄装置は上述したように、皮膚面を洗浄する洗浄液を貯留する給水部１、皮膚面を洗浄した排液を吸引し貯留する排水部３と該給水部１の洗浄液１１を皮膚面に供給する洗浄アダプタ２からなり、該洗浄アダプタ２は、洗浄液を皮膚面に噴射する噴出口２１２、空気吸入口２３、洗浄後の排液を吸引除去する吸引口２４とで構成され、
前記洗浄液噴出口２１２から噴射する液量を１．３ｍ／ｓ〜２，１ｍ／ｓ
空気吸入口２３の面積を５〜７ｃｍ２
吸引口２４の負圧を１．７ｋＰａ〜２．４ｋＰａ
の条件で皮膚面を洗浄することが好ましい。
【００３２】
前記洗浄液噴出口２１２から噴射する液量を１．３ｍ／ｓ〜２。１ｍ／ｓとするのは、１．３ｍ／ｓよりも噴射量が少ないと皮膚面の洗浄が充分にできず、２．１ｍ／ｓより多いと洗浄液が完全に吸収されずに皮膚面に残る危険性があるためである。
【００３３】
空気吸入口２３の面積を５〜７ｃｍ２とするのは、空気流入面積が洗浄効果に大きく影響するためである。シミュレーションの結果、空気吸入口２３の面積が５ｃｍ２より小さいと流速は大きくなるが流量が小さくなるため洗浄液を吸引しきれずに液漏れする危険性があり、口径が８ｃｍ２と大きくなると洗浄能力が低下する、との結果が得られている。
【００３４】
吸引口２４の負圧は１．７ｋＰａ〜２．４ｋＰａに設定する。皮膚面を吸引し、被洗浄者の大部分が吸い込みすぎる（不快）と感じる負圧が２．５ｋＰａであり、被洗浄者の殆どが吸い過ぎと感じない（不快と感じない）負圧が２．０前後であり、洗浄性、排水の漏れ等を勘案すると１．７〜２．４ｋＰａの範囲に負圧を設定することが好ましい。
【実施例】
【００３５】
次に、本発明の洗浄装置の操作（実施例）に付き図５を参照して説明する。
ステップ１（ＳＴ１）
洗浄液タンク１２に例えば水、石鹸水、消毒液等、人体を洗浄する洗浄液１１を注入する。冬場、或いは温水を望まれるときは加温装置１４を作動させて洗浄液１１を加温する。
ステップ２（ＳＴ２）
洗浄アダプタ２を洗浄する皮膚面に接触させる。洗浄アダプタ２も予め皮膚に触れて冷たく感じない程度に保温しておくことが好ましい。
【００３６】
ステップ３（ＳＴ３）
把持部２１の水量調節スイッチ５１または２１３と真空度調節スイッチ５２または２１４を操作し、配水ポンプ１３と吸引装置３２を作動させ、洗浄液１１を洗浄アダプタ２の噴射口２２先端に設けた洗浄液噴出口２１２へ導く。
ステップ４（ＳＴ４）
この時、洗浄液噴出口２１２から噴射する液量を１．３ｍ／ｓ〜２，１ｍ／ｓ
吸引口２４の負圧を１．７ｋＰａ〜２．４ｋＰａ
になるよう各スイッチの設定条件を調整する。
なお、予めこの水量調整と真空度調整を事前に行い、被洗浄者の皮膚に洗浄アダプタ２を接触させるときには水量、真空度ともに最適な状態にしておくことが好ましい。
【００３７】
ステップ５（ＳＴ５）
洗浄アダプタ２の洗浄液噴出口２１２から噴射される洗浄液１１はノズル本体内で吸引される空気で渦流となり被洗浄者の皮膚を洗浄する。また、洗浄アダプタ２の内部は吸引装置３２により減圧されているので、洗浄液１１は被洗浄者の皮膚に触れた後吸引口２４方向に吸引され、洗浄アダプタ２から漏れることなく排水タンク３１へと導かれ、排水タンク３１に貯留される。
被洗浄者に対しては、皮膚の汚れ具合によって洗浄液１１の噴射量や噴射の勢いを調整することも可能である。即ち、排泄物等で汚れの酷い箇所に対しては水量調節スイッチ２１３を操作して上記設定条件の上限値に近い水量を供給するとともに、真空度調節スイッチ２１４を操作して真空度（空気流入量）を上げ、排泄物等を除去し、肌を清潔に洗浄する。一方、比較的汚れの少ない皮膚については上記設定条件の下限値に近い水量に調整して水量を絞り、真空度を下げて操作し、肌への刺激を弱める。
【００３８】
ステップ６（ＳＴ６）
被洗浄者の皮膚の洗浄を終えたなら、必要により奇麗な洗浄水で被洗浄者の皮膚を上記洗浄手順と同様にして洗浄し、その後、必要により乾いたタオル等で皮膚を拭き、或いはドライヤー等で乾燥し、洗浄を完了する。
ステップ７（ＳＴ７）
被洗浄者の皮膚を洗浄した洗浄排液は排水タンク３１へ貯留される。この排液は必要によりバイオ剤３６等を加え、或いは紫外線装置３７等で汚物を分解し、環境にやさしくして下水等へ廃棄する。
【００３９】
上述したように本発明の洗浄装置は、給水部の洗浄液を配水ポンプにより搬出し皮膚面に供給するので皮膚面の洗浄を行う洗浄液を皮膚面に対して優しく噴射することができ、皮膚面を洗浄した排液を吸引装置（ポンプ）により吸引するので外部へ漏水させることなく回収することができる。
【００４０】
また、配水ポンプと吸引ポンプとを別々に設けたので洗浄液の供給量、排液の吸引力を洗浄アダプタの把持部でも操作でき、洗浄箇所の皮膚の状態によって適宜に配水量、排液吸引量の調整が洗浄アダプタ２の把持部２１に設けた水量調節スイッチ２１３、真空度調節スイッチ２１４、必要によりエアーコントロールスイッチ２１５により手元で容易にでき、従ってベッド等に寝かせたままでの身体洗浄あるいは衣服を着用したままでの身体の部分的洗浄が可能となる優れた効果を有するものである。
【産業上の利用可能性】
【００４１】
上記は人間の身体（皮膚）を洗浄する洗浄装置として説明したが、本発明はペット等の動物、建造物の壁面等を洗浄する洗浄装置として使用可能なことは勿論である。
【符号の説明】
【００４２】
１      給水部
１２    洗浄液タンク
１３    配水ポンプ
２    洗浄アダプタ
２１    把持部
２２    噴射口
２３    空気吸入口
２４    吸引口
２１２  洗浄液噴出口
３      排水部
３１    排水タンク
３２    吸引装置（吸引ポンプ）
【図２】
2014030511.tif 000003
【図３】
2014030511.tif 000004
【図４】
2014030511.tif 000005
【図５】
2014030511.tif 000006
【図１】
2014030511.tif 000007